(57)【特許請求の範囲】
【請求項１】
機器を特定するための特定情報を受信する特定情報受信手段と、
前記特定情報受信手段によって受信した特定情報をサーバ装置に送信する送信手段と、
前記サーバ装置側で受信した特定情報に基づいて抽出された前記機器を遠隔操作するための制御情報を受信する制御情報受信手段と、
前記制御情報受信手段によって受信した制御情報を記憶する記憶手段と、
前記制御情報受信手段によって受信した制御情報に基づいて当該制御情報に対応する機器を遠隔操作する操作手段と、
前記制御情報受信手段によって受信した制御情報に対応する機器を遠隔操作するための操作部を表示する表示手段と、
前記制御情報受信手段によって受信した制御情報に対応する機器から送信された消去信号を受信した場合に前記記憶手段に記憶された当該機器の制御情報を消去するとともに、前記表示手段に表示された操作部を消去する消去手段と、
を備えた端末装置。
【請求項２】
請求項１に記載の端末装置の手段の全てもしくは一部としてコンピュータを機能させるためのプログラム。
【発明の詳細な説明】
【０００１】
【発明の属する技術分野】
本発明は、機器をリモコン操作するための端末装置およびこれを含むシステムなどに関するものであり、より詳しくは、一台の端末装置で複数の機器を遠隔操作できるようにしたものに関するものである。
【０００２】
【従来の技術】
最近の電子機器には、その機器を遠隔操作するためのリモコン装置が設けられており、このような機器を複数設置した場合は、それに伴ってリモコン装置が増えてそれぞれ混同を生じてしまう可能性がある。
【０００３】
このため、現在、一台のリモコン装置で複数の機器の制御できるようにしたものが提案されている。このような装置は、あらかじめ複数のメーカや機器を制御するための制御プログラム情報をあらかじめ記憶しておき、適宜、使用する機器を選択することによって所望の機器を遠隔操作できるようにしたものである。
【０００４】
【発明が解決しようとする課題】
しかし、このようなリモコン装置は、あらかじめ複数のメーカや機器の制御プログラム情報を記憶しておかなければならないため、その分冗長なものとなってしまう。また、複数の機器に対応させるようにするとメモリが大容量のものとなってしまい、コスト高となる。
【０００５】
一方、これに関連して特開２００１−３６６５２号公報には、携帯電話をリモコン装置として使用するようにしたシステムが開示されている。このシステムは、電話回線を介して必要な機器の制御プログラム情報を制御情報配信センタから受信し、この制御プログラム情報に基づいてビデオレコーダやエアコンなどを遠隔操作できるようにしたものである。
【０００６】
しかし、このようなものでは、機器に対する制御プログラム情報を取得する際、その機器のメーカ名、機種、品番などを特定しなければならず、このため、この機器のメーカ名、機種、品番などの情報を簡単に入力できるように、数多くの入力キーを設けなければならない。また、このような機種や品番などに関する情報は一般需要者にとって馴染みの薄いものであるため、その機種や品番などを特定できなければ制御情報を取得できなくなる。
【０００７】
そこで、本発明は上記課題に着目してなされたものであり、機器に関する特定情報を直接入力することなく、機器を遠隔操作するための制御情報を外部から取得できるようにすることを目的とするものである。
【０００８】
【課題を解決するための手段】
すなわち、本発明は上記課題を解決するために、遠隔操作する機器を特定するための特定情報を外部から受信するための特定情報受信手段を端末装置に設ける。そして、この受信した特定情報をサーバ装置に送信して、サーバ装置側でその機器を遠隔操作するための制御情報を取得し、その制御情報を用いて端末装置でその機器を遠隔操作できるようにしたものである。
【０００９】
このように、遠隔操作の対象となる機器を特定するための特定情報を外部から受信するようにしたので、端末装置側で直接その特定情報を入力する必要がなくなり、入力キーを増やす必要がなくなる。また、その機器の機種、品番などの特定情報を調べる必要がなくなり、制御情報を簡単に取得することができる。
【００１０】
また、このように機器に関する特定情報を受信するに際して、好ましくは、その遠隔操作の対象となる機器に特定情報を送信するための機能を設け、その機器から送信された特定情報を端末装置側で受信するように構成する。これにより、端末装置側での操作を軽減することができ、より簡単に特定情報を受信することができるようになる。
【００１１】
また、このように遠隔操作するための制御情報を受信する場合、その操作部を表示するための情報も受信する。このようにすれば、表示部を複数の機器に対する操作部として兼用することができるようになる。
【００１２】
また、このような制御情報を取得する場合、その制御情報を構成する制御プログラム情報の所在地を示し、使用時にその所在地にアクセスして制御プログラム情報を一時的に取得し使用する。このようにすれば、端末装置側で制御プログラム情報を常に持つ必要がなくなり、記憶容量を少なくすることができる。
【００１３】
また、複数の機器に対する制御情報を表示する場合、機器毎にアイコンなどを分類して表示し、遠隔操作のための画面を容易に取り出せるようにする。
【００１４】
また、使用者毎にその機器を使用する機能を制限している場合などに対応して、使用者毎にその機能に対する制御情報を抽出して送信するように設定する。これにより、例えば、使用者が個々の機能に基づいて使用料金を支払うなどのようにしている場合、必要な制御情報のみを取得できるようにすることによって、不要なコストを支払わなくて済むようにできる。
【００１５】
また、機器を取り外した場合などのように、その機器を使用しない状況となった場合、その機器やサーバ装置から消去信号を受信することによってその機器の制御情報を消去する。このようにすれば、不要な情報まで記憶しておく必要がなくなり、記憶容量の効率化を図ることができるばかりでなく、消去のための動作も自動化することができる。
【００１６】
【発明の実施の形態】
以下、本発明の一実施形態を、図面を参照して説明する。
【００１７】
図１に示す本実施形態のシステムは、各家庭に設置される給湯機やエアコンなどの機器１を、端末装置２を介して遠隔操作できるようにしたものである。この端末装置２は、インターネット網や電話回線網などの通信回線網３によってサーバ装置４を含む複数の制御情報記憶装置５に接続されており、機器１側から送信されてきたその機器を特定するための特定情報、例えば、メーカ名、機種、品番などの情報に基づいて、その機器を遠隔操作するための制御情報をサーバ装置４や制御情報記憶装置５から抽出し、その情報を用いて機器１を遠隔操作できるようにしたものである。
【００１８】
そのため、このシステムにおいては、機器１側に、あらかじめその機器１を特定するための特定情報を記憶しておき、その機器１を設置した場合にその特定情報を端末装置２に送信する手段と、この特定情報を端末装置２側で受信してサーバ装置４に転送する手段と、サーバ装置４側でこの特定情報に基づいてその機器を遠隔操作するための制御情報を抽出して端末装置２に送信する手段とを備える。
【００１９】
この機器１は、端末装置２からの遠隔操作によってその機器１が本来有する各種機能を動作させるようにしたものであり、例えば、この機器が給湯機である場合には、給湯や風呂の着火状態の切り換え、温度設定、自動風呂張り、湯量、保温状態、浄化、洗浄などの機能をそれぞれ動作させるようにしたものである。そして、この機器１は、設置されるなどして使用できる状態になったことを検出した場合、その機器１に記憶している特定情報を端末装置２側に送信する機能を有し、図３に示すように、ＣＰＵ１ａ、記憶部１ｂ、無線ターミナル１ｃ、電源部１ｄ、各種制御部１ｅなどを備えている。そして、これらが協働して、図２に示す設置検出部１０、特定情報読出部１１、不使用状態検出部１２、消去信号作成部１３、送受信部１４などを構成する。
【００２０】
設置検出部１０は、その機器１が設置され使用可能な状態となったことを検出するものであり、使用可能な状態になったことを検出した場合に、その機器１の特定情報を端末装置に送信させるべく特定情報読出部１１にその検出信号を送出するものである。この設置検出部１０は、例えば、機器の電源投入、所定のスイッチの押下、機器ＩＤ登録や起動コマンドの入力等の起動設定などのように機器１を設置したと解釈できるタイミングを検出する。
【００２１】
特定情報読出部１１は、設置検出部１０などからの検出信号を受け取ると、あらかじめ記憶部１ｂに記憶しているその機器１のメーカ名、種別、品番などの特定情報を読み出し、その特定情報を送受信部１４に送出するものである。この機器１のメーカ名、種別、品番などの特定情報は、その機器１の製造工程などにおいて記憶部１ｂの所定領域に記憶される。
【００２２】
不使用状態検出部１２は、この機器１の取り外しなどのように、その機器が使用されない状態になったことを検出するものであり、例えば、電源コンセントの抜き取り、所定のスイッチの押下、使用期限の満了、重大な故障時、起動設定のクリアなどを制御回路やセンサなどによって検出し、その検出信号を消去信号作成部１３に送出するものである。
【００２３】
消去信号作成部１３は、不使用状態検出部１２から送出されてきた検出信号に基づいて、端末装置２側で記憶しているこの機器１に対する制御情報を消去させるべく消去信号を作成するものである。このため、消去信号作成部１３は、消去させる機器１の特定情報を特定情報読出部１１から読み出し、これに消去信号であることを示す識別子を付加して端末装置２側に送信する。
【００２４】
送受信部１４は、端末装置２との間で無線によって通信するポートとしての役割を果たすものであり、赤外線や電波などによって端末装置２との間で所定のデータを送受信する。なお、本実施の形態では、無線により端末装置と通信する場合について説明するが、有線によって通信を行うように構成しても良い。
【００２５】
一方、この機器１を遠隔操作するための端末装置２は、機器１との間で無線通信できる範囲内に設置されており、例えば、給湯機などを操作するのに適した台所の壁面などに設置される。なお、本実施の形態では、設置型の端末装置２について説明するが、これに限らず、可搬型の装置に構成することもできる。この端末装置２は、図３に示すように、ＣＰＵ２ａ、記憶部２ｂの他に、タッチスクリーン２ｃ、無線ターミナル２ｄ、通信インターフェース２ｅなどのハードリソースを具備するもので、適宜記憶部２ｂの記憶領域にはＣＰＵ２ａが実行すべきプログラムをあらかじめ格納している。そして、これらが協働して、図２に示す送受信部２０、特定情報受信手段２１、送信手段２２、制御情報受信手段２３、操作手段２４、消去情報受信手段２５、消去手段２６などを機能させる。
【００２６】
送受信部２０は、機器１との間で無線通信するポートとしての役割を果たすもので、機器１の無線ターミナル１ｅの形態に合わせて赤外線や電波による通信、有線による通信などを切り換え、機器１との間でデータを送受信できるようにしている。
【００２７】
特定情報受信手段２１は、機器１側から送信されてきた情報の種別を判断し、その送信されてきた情報が特定情報であることを判断した場合に、その情報を送信手段２２に送出するものである。この送信されてきた情報種別の判断処理は、例えば、送信されてきた情報に含まれる識別子を判断することなどによって行われる。
【００２８】
送信手段２２は、特定情報受信手段２１から送出されてきた特定情報にこの端末装置２の所有者を示す顧客情報を付加し、この顧客情報および特定情報をインターネット回線網や電話回線網などの通信回線網３を介してサーバ装置３に送信する機能を有する。この顧客情報は、端末ＩＤや顧客ＩＤなどのように顧客や端末装置２を特定できる情報によって構成されており、図４に示すように記憶部２ｂの記憶領域の一部である顧客情報記憶領域２００に記憶されている。そして、特定情報を送信するタイミングで顧客情報記憶領域２００からこれらの顧客情報を読み出して送信情報を作成し、サーバ装置４の送受信部４０に送信する。また、この送信手段２２は、制御情報記憶装置５に記憶されている制御プログラム情報を用いて機器の遠隔操作をする際に、その制御プログラム情報の所在地であるＵＲＬにアクセスするための情報を送信する機能も有している。そして、この送信手段２２は、あらかじめ記憶部２ｂに記憶しているサーバ装置３の接続情報や制御情報記憶装置５の接続情報を用いてサーバ装置４や制御情報記憶装置５に接続して、データの送受信処理を行う。
【００２９】
制御情報受信手段２３は、サーバ装置４やその制御情報記憶装置５から送信されてきた制御情報を受信し、サーバ装置４から送信されてきた制御情報を記憶部２ｂに記憶させる。このサーバ装置４から送信されてくる制御情報には、端末装置２の記憶部２ｂにダウンロードして使用するための制御プログラム情報と、制御情報記憶装置５に記憶されている制御プログラム情報を直接使用するためのその所在情報（所在地を示す情報）とが存在し、それぞれ制御プログラム情報を図４に示す制御プログラム記憶領域２０１ａに、また、その所在情報を所在情報記憶領域２０１ｂに記憶させる。
【００３０】
操作手段２４は、タッチスクリーン２ｃなどによって構成したもので、図５から図７に示すように、タッチスクリーン２ｃに操作部１０１を表示して、その操作部１０１などからの操作によって機器１に遠隔操作のための制御プログラム情報を送出する。この操作手段２４を構成するタッチスクリーン２ｃは、複数の機器１を遠隔操作可能にすべく、図５に示すように機器１毎にアイコン１００を設けており、このアイコン１００を選択することによって、その機器１に対する詳細な操作部１０１を表示する。そして、この端末装置２に機器１に対する制御プログラム情報をダウンロードしている場合は、その操作部１０１の操作に基づいて制御プログラム情報を実行して遠隔操作のための情報を送信し、また、その機器１に対する制御プログラム情報をダウンロードしていない場合は、その制御プログラム情報を記憶している制御情報記憶装置５のＵＲＬにアクセスし、その制御情報記憶装置５に記憶されている制御プログラム情報を直接用いて遠隔操作する。
【００３１】
消去情報受信手段２５は、機器１側から送信されてきた消去信号を受信するものであって、送受信部２０を介して受信した情報が消去信号を含むものであるかを判断し、その受信した情報が消去信号である場合に、その情報に付加された特定情報を消去手段２６に送出するものである。
【００３２】
そして、消去手段２６は、この送出された特定情報に基づいて、制御プログラム記憶領域２０１ａに記憶されているその機器１の制御プログラム情報や、所在情報記憶領域２０１ｂに記憶されている所在情報を消去し、また、操作手段２４に表示されているアイコン１００も消去するものである。
【００３３】
一方、サーバ装置４は、端末装置２に対してインターネット回線網や電話回線網などの通信回線網３を介して接続され、その端末装置２から送信されてきた特定情報に対応する制御情報を抽出して、この制御情報を端末装置２側に送信する機能を有する。このため、サーバ装置４は、図３に示すように、ＣＰＵ４ａ、記憶部４ｂ、通信インターフェース４ｃ、入力部４ｄなどのハードリソースを具備し、これらが協働して、送受信部４０、受信データ判断部４１、制御情報抽出部４２、ユーザ管理ＤＢ４３、消去情報受付部４４を機能させる。
【００３４】
送受信部４０は、通信回線網３を介して端末装置２との間で送受信を行う状態をとりうるポートとしての役割を果たすものである。
【００３５】
受信データ判断部４１は、端末装置２から受信したデータの種別をそのデータに付帯する識別子によって判断し、端末装置２から送信されてきたデータのうち、その端末装置２もしくはユーザを識別するための顧客情報をユーザ管理ＤＢ４３に送出し、また、機器１の特定情報を制御情報抽出部４２に送出する。
【００３６】
ユーザ管理ＤＢ４３には、その顧客情報に対応するユーザの契約情報を記憶しており、例えば、給湯機に関する契約として、浄化、洗浄などに関して制御を行うか否かの契約などが存在している場合は、その契約内容をユーザ管理ＤＢ４３に記憶している。
【００３７】
制御情報抽出部４２は、このユーザ管理ＤＢ４３によって抽出されたそのユーザの契約内容に基づいて機器を遠隔操作するための制御情報を抽出するもので、その契約内容に対応する制御プログラム情報や、その制御プログラム情報を記憶した制御情報記憶装置５の所在情報を抽出する。この制御プログラム情報は、制御の対象となる機器毎にあらかじめ記憶部４ｂに記憶させており、また、端末装置２の表示形態、例えば、タッチスクリーンの寸法などに合わせて操作部も構成しうるようにしている。
【００３８】
消去情報受付部４４は、端末装置２に記憶されている制御情報を消去するための信号やキー入力などを受け付けるものであり、その受け付けた消去情報を送受信部４０を介して端末装置２の消去手段２６に送出するものである。この消去情報受付部４４は、サーバ装置４側のキー入力による操作や外部装置から送信されてきた情報によって、その制御情報を消去するための消去情報、すなわち、消去の対象となる端末装置の顧客情報、その端末装置２によって遠隔操作される機器を特定するための特定情報などを受け付ける。
【００３９】
次に、本システムが稼働する際に実行される処理の概要を図８を用いて説明する。
【００４０】
まず、給湯機などの機器１を設置して電源投入するなどのように使用可能な状態になった場合、設置検出部１０によってその使用状態になったことを検出し（ステップＳ１）、その検出信号を特定情報読出部１１に送出する。そして、その機器１のメーカ名、種別、品番などの特定情報を読み出し（ステップＳ２）、この特定情報を送受信部１４を介して端末装置２に送信する（ステップＳ３）。
【００４１】
一方、端末装置２はこの機器１から送信されてくる情報を監視し、送受信部２０を介して受信（ステップＳ４）した情報が特定情報を含む情報であると特定情報受信手段２１によって判断された場合は、この特定情報に、この端末装置２の顧客情報を付加して（ステップＳ５）サーバ装置４に転送する（ステップＳ６）。
【００４２】
そして、この顧客情報および特定情報を受信したサーバ装置４側では（ステップＳ７）、受信データ判断部４１によって顧客情報をユーザ管理ＤＢ４３に送出し、そのユーザの契約内容を読み取る（ステップＳ８）。そして、その契約内容に基づいて特定情報に対応する機器１の制御情報を制御情報抽出部４２から抽出し（ステップＳ９）、制御プログラム情報や、その所在情報を端末装置２に送信する（ステップＳ１０）。
【００４３】
そして、端末装置２は、制御プログラム情報が送信されてきた場合（ステップＳ１１）はその制御プログラム情報を制御プログラム情報記憶領域２０１ａに記憶させ（ステップＳ１２）、また、このタッチスクリーン２ｃにその機器１に対する遠隔操作用のアイコン１００を表示する。そして、ユーザがこのアイコン１００を選択した場合、その機器１に対する操作部１０１を詳細に表示し、操作部１０１により所望の操作を行うことによって、記憶部２ｂに記憶している制御プログラム情報に基づいて機器１を遠隔操作可能にする（ステップＳ１３、Ｓ１５）。
【００４４】
一方、このサーバ装置４から制御プログラムの所在情報が送信されてきた場合は（ステップＳ１０、Ｓ１１）、その所在情報を所在情報記憶領域２０１ｂに記憶させ（ステップＳ１２）、また、タッチスクリーン２ｃにその機器１に対する遠隔操作用にアイコン１００を表示する。そして、ユーザがこのアイコン１００を選択した場合、所在情報記憶領域２０１ｂに記憶されている所在情報をもとに送信手段２２を介してこの所在情報に基づく制御情報記憶装置５にアクセスし、その端末装置２の顧客情報や遠隔操作のための特定情報を送信する。そして、その特定情報に基づいて制御情報記憶装置５に記憶されている制御プログラム情報を一時的に取得し（ステップＳ１４）、操作部１０１により所望の操作を行うことによって、その制御プログラム情報を用いて、その機器１に対する遠隔操作可能にする（ステップＳ１５）。
【００４５】
このように、端末装置２の機器１に対する操作部１０１は、ステップＳ９においてユーザの契約内容に基づいた制御情報を抽出するので、同じ給湯機リモコン画面においても図６のように「浄化」や「洗浄」の制御ボタンが表示されて給湯機の浄化・洗浄の制御が可能であったり、図７のように「浄化」や「洗浄」の制御ボタンが表示されなかったりすることで、ユーザが個々の機能に基づいて使用料金を支払うなどのようにしている場合、必要な制御情報のみを取得することによって、不要なコストを支払わなくて済む。
【００４６】
次に、このような機器１の制御情報を消去する場合のフローについて図９を用いて説明する。
【００４７】
まず、給湯機を取り外して電源を遮断するなどのように、機器を不使用な状態にしたことを不使用状態検出部１２によって検出した場合（ステップＳ２０）、その検出信号を消去信号作成部１３に送出する。そして、消去信号作成部１３では、特定情報読出部１１からその機器１の特定情報を読み出し（ステップＳ２１）、送受信部１４を介して端末装置２に消去信号を送信する。
【００４８】
また、サーバ装置４の消去情報受付部４４が、その機器１に対する制御情報を消去するための情報や顧客情報を受けた場合（ステップＳ２３）、その受け付けた顧客情報に対応する端末装置２に向けて特定情報を含む消去信号を送信する（ステップＳ２４）。
【００４９】
そして、これらの消去信号を送受信部２０もしくは制御情報受信手段２３によって受信した場合（ステップＳ２５）、その消去信号を消去手段２６に送出し、この消去信号に含まれる特定情報に対応する機器１の制御情報を消去するとともに、操作手段２４に表示されている機器１のアイコン１００や操作部１０１も消去する（ステップＳ２６）。
【００５０】
例えば、サーバ装置４に記憶されている顧客の契約内容によって、機器１の契約期間が過ぎた場合にタイマによって消去情報受付部４４へ機器１の制御情報を消去するための情報と顧客情報を受け渡すこととすれば、契約内容に応じて自動的に機器１の制御情報を端末装置２から消去することができる。
【００５１】
以上のように、遠隔操作する機器１を特定してサーバ装置４側からその機器１の制御情報を取得する場合、機器１側からその機器１を特定するためのメーカ名、種別、品番などの特定情報を受け付けるようにしたので、端末装置２側でこれらの情報を入力する必要がなくなり、また、機器の品番などを調べる必要をなくすことができる。
【００５２】
また、制御情報をサーバ装置４から送信するに際して、その機器１を遠隔操作するための操作部１０１を表示するための情報も送信するようにしたので、機器１毎に任意に操作部１０１を構成することができ、また、操作部１０１のレイアウト情報をサーバ装置４側で書き込むことによって容易にレイアウトを変更することができるようになる。
【００５３】
また、このように制御情報を端末装置２に送信するに際して、制御プログラムの所在情報を送信し、その所在情報に対応する制御情報記憶装置５にアクセスして一時的に制御プログラム情報を取得するようにしたので、遠隔操作すべき機器１が増えた場合、メモリを大容量のものに付け替えることなく、その機器１を遠隔操作することができるようになる。
【００５４】
また、機器１に対する操作部１０１を機器１毎にまとめてアイコン表示するようにしたので、操作部１０１の整理ができ、容易に機器１を特定して操作することができるようになる。
【００５５】
更に、このように遠隔操作する機器１が不使用な状態になった場合、その状態を検出してその機器１に対する制御情報を端末装置２から消去するようにしたので、メモリの無駄をなくすることができ、また、消去手続を自動化することによって簡単に制御情報を消去することができるようになる。
【００５６】
なお、各部の具体的な構成は、上述した実施形態のみに限定されるものではなく、本発明の趣旨を逸脱しない範囲で種々変形が可能である。
【００５７】
例えば、上記実施の形態においては、給湯機を遠隔操作する場合について説明したが、これに限らず、テレビ、ビデオ、エアコンなどの機器を遠隔操作する場合にも適用することができる。
【００５８】
また、上記実施の形態においては、機器１から送出されてきた特定情報をサーバ装置４に転送するようにしたが、これに限らず、インターネットなどを介して端末装置２で取得した特定情報をサーバ装置４に転送するようにしても良い。この場合、操作手段２４および送信手段２２を介してインターネットに接続し、所定のサイトに機器の外観画像などとともに表示されているメーカ名、種別、品番などを選択してこれらの情報を取得して、サーバ装置４に転送するようにすると良い。
【００５９】
【発明の効果】
本発明では、遠隔操作する機器を特定するための特定情報を外部から受信するための特定情報受信部を端末装置に設け、この受信した特定情報をサーバ装置に送信して、サーバ装置側からその機器を遠隔制御するための制御情報を取得するようにしたので、端末装置で直接その機器の特定情報を入力する必要をなくすことができる。
【図面の簡単な説明】
【図１】本発明の一実施形態に係るシステム全体を概略的に示す構成説明図。
【図２】同実施形態で用いる機器、端末装置、サーバ装置の機能ブロック図。
【図３】同実施形態で用いる機器、端末装置、サーバ装置のハードリソースを示す図。
【図４】同実施形態で用いる端末装置のメモリマップを示す図。
【図５】同実施形態で用いる端末装置の表示画面例。
【図６】同実施形態で用いる端末装置の表示画面例。
【図７】同実施形態で用いる端末装置の表示画面例。
【図８】同実施形態における設置処理を示すフローチャート。
【図９】同実施形態における消去処理を示すフローチャート。
【符号の説明】
１…機器
２…端末装置
３…通信回線網
４…サーバ装置
２１…特定情報受信手段
２２…送信手段
２３…制御情報受信手段
２６…消去手段
１００…アイコン
１０１…操作部
【図１】
0004724990.tif 000002
【図２】
0004724990.tif 000003
【図３】
0004724990.tif 000004
【図４】
0004724990.tif 000005
【図５】
0004724990.tif 000006
【図６】
0004724990.tif 000007
【図７】
0004724990.tif 000008
【図８】
0004724990.tif 000009
【図９】
0004724990.tif 000010